(57)【要約】【課題】移動局アンテナと基地局アンテナとの間での通信を、天候状態に合わせて好適に行うことが可能な、新規かつ改良された基地局アンテナ制御装置、移動局アンテナ制御装置及びアンテナ制御方法を提供すること。【解決手段】処理部１５０は、位置情報取得装置１８０が取得した位置情報の入力を受け付けるとともに、天候情報取得装置１９０が取得した天候情報の入力を受け付ける。処理部１５０は、処理部１５０は、入力を受け付けた位置情報及び天候情報を検索キーとして、アンテナ制御情報１７０から属性情報を検索する。処理部１５０は、検索して得られた属性情報に基づいて、アンテナ制御部１２０を介して、基地局アンテナ１１０を制御する。【選択図】図２
2009206770.tif 000002
【特許請求の範囲】
【請求項１】
基地局アンテナを制御する基地局アンテナ制御装置が、移動体の位置情報を取得する位置情報取得装置及び基地局周辺の天候情報を取得する天候情報取得装置のそれぞれに接続された基地局アンテナ制御システムであって、
前記基地局アンテナ制御装置は、
前記基地局アンテナを制御するアンテナ制御部と、天候情報、位置情報及び前記基地局アンテナの属性情報を対応付けたアンテナ制御情報を記憶する記憶部と、処理部とを備え、
前記処理部は、
前記位置情報取得装置が取得した前記位置情報の入力を受け付けるとともに、前記天候情報取得装置が取得した前記天候情報の入力を受け付け、
入力を受け付けた前記位置情報及び前記天候情報を検索キーとして、前記アンテナ制御情報から前記属性情報を検索し、
検索して得られた前記属性情報に基づいて、前記アンテナ制御部を介して、前記基地局アンテナを制御する
ことを特徴とする、基地局アンテナ制御システム。
【請求項２】
前記記憶部は、
前記属性情報として、アンテナの設置角度とアンテナの送信電力のうち、少なくともいずれか一方を記憶する
ことを特徴とする、請求項１に記載の基地局アンテナ制御システム。
【請求項３】
移動体の位置情報を取得する位置情報取得装置及び基地局周辺の天候情報を取得する天候情報取得装置のそれぞれに接続され、基地局アンテナを制御する基地局アンテナ制御装置であって、
前記基地局アンテナを制御するアンテナ制御部と、天候情報、位置情報及び前記基地局アンテナの属性情報を対応付けたアンテナ制御情報を記憶する記憶部と、処理部とを備え、
前記処理部は、
前記位置情報取得装置が取得した前記位置情報の入力を受け付けるとともに、前記天候情報取得装置が取得した前記天候情報の入力を受け付け、
入力を受け付けた前記位置情報及び前記天候情報を検索キーとして、前記アンテナ制御情報から前記属性情報を検索し、
検索して得られた前記属性情報に基づいて、前記アンテナ制御部を介して、前記基地局アンテナを制御する
ことを特徴とする、基地局アンテナ制御装置。
【請求項４】
移動体に備えられ、基地局アンテナと通信可能な移動局アンテナを制御する移動局アンテナ制御装置であって、
前記移動局アンテナを制御するアンテナ制御部と、天候情報、位置情報及び前記移動局アンテナの属性情報を対応付けたアンテナ制御情報を記憶する記憶部と、通信部と、処理部とを備え、
前記通信部は、
前記移動局アンテナを介して、前記基地局アンテナから基地局周辺の天候情報を受信するとともに、移動体の位置情報を受信すると、当該天候情報及び位置情報を前記処理部に出力し、
前記処理部は、
前記通信部から前記位置情報及び前記天候情報の入力を受け付け、
入力を受け付けた前記位置情報及び前記天候情報を検索キーとして、前記アンテナ制御情報から前記属性情報を検索し、
検索して得られた前記属性情報に基づいて、前記アンテナ制御部を介して、前記移動局アンテナを制御する
ことを特徴とする、移動局アンテナ制御装置。
【請求項５】
移動体の位置情報を取得する位置情報取得装置及び基地局周辺の天候情報を取得する天候情報取得装置のそれぞれに接続され、アンテナを制御するアンテナ制御部と、天候情報、位置情報及び前記アンテナの属性情報を対応付けたアンテナ制御情報を記憶する記憶部と、処理部とを備えたアンテナ制御装置によるアンテナ制御方法であって、
前記処理部は、
前記位置情報取得装置が取得した前記位置情報の入力を受け付けるとともに、前記天候情報取得装置が取得した前記天候情報の入力を受け付け、
入力を受け付けた前記位置情報及び前記天候情報を検索キーとして、前記アンテナ制御情報から前記属性情報を検索し、
検索して得られた前記属性情報に基づいて、前記アンテナ制御部を介して、前記アンテナを制御する
ことを特徴とする、アンテナ制御方法。
【発明の詳細な説明】
【技術分野】
【０００１】
本発明は、基地局アンテナ制御システム、基地局アンテナ制御装置、移動局アンテナ制御装置及びアンテナ制御方法に関する。
【背景技術】
【０００２】
指向性が狭いアンテナを移動体通信で利用する場合、アンテナを追尾させることが必須となる。従来、そのような技術として、アンテナの設置角度を変更して追尾する技術や、電子的にアンテナの指向性を変更して追尾する技術が一般的である。例えば、特許文献１に開示されているように、ＧＰＳによる位置情報に基づいてアンテナの設置角度を変更して追尾を行う技術がある。また、例えば、特許文献２に開示されているように、アンテナが受信する電力に基づいて電子的にアンテナの指向性を変更して追尾する技術がある。
【０００３】
【特許文献１】特開２００２−１５８６０８号公報
【特許文献２】特開平９−１７８３９７号公報
【発明の開示】
【発明が解決しようとする課題】
【０００４】
しかし、例えば、アンテナが半値幅３度の指向性を持ち、基地局アンテナが設置された地点から移動局アンテナまでが５０ｍの地点では、その通信エリアが１５ｍ程度となる。このように、指向性の高いアンテナは指向性を狭くすることでアンテナ利得を高めているため、その通信エリアは狭い。電波は降雨減衰のように天候による影響を受けるため、天候によっては更に通信エリアが狭くなってしまうという問題があった。
【０００５】
そこで、本発明は、上記問題に鑑みてなされたものであり、本発明の目的とするところは、移動局アンテナと基地局アンテナとの間での通信を、天候状態に合わせて好適に行うことが可能な、新規かつ改良された基地局アンテナ制御システム、基地局アンテナ制御装置、移動局アンテナ制御装置及びアンテナ制御方法を提供することにある。
【課題を解決するための手段】
【０００６】
上記問題を解決するために、本発明のある観点によれば、基地局アンテナを制御する基地局アンテナ制御装置が、移動体の位置情報を取得する位置情報取得装置及び基地局周辺の天候情報を取得する天候情報取得装置のそれぞれに接続された基地局アンテナ制御システムであって、基地局アンテナ制御装置が、基地局アンテナを制御するアンテナ制御部と、天候情報、位置情報及び基地局アンテナの属性情報を対応付けたアンテナ制御情報を記憶する記憶部と、処理部とを備え、処理部は、位置情報取得装置が取得した位置情報の入力を受け付けるとともに、天候情報取得装置が取得した天候情報の入力を受け付け、入力を受け付けた位置情報及び天候情報を検索キーとして、アンテナ制御情報から属性情報を検索し、検索して得られた属性情報に基づいて、アンテナ制御部を介して、基地局アンテナを制御する基地局アンテナ制御システムが提供される。
【０００７】
上記記憶部は、属性情報として、アンテナの設置角度とアンテナの送信電力のうち、少なくともいずれか一方を記憶することとしてもよい。
【０００８】
また、上記課題を解決するために、本発明の別の観点によれば、移動体の位置情報を取得する位置情報取得装置及び基地局周辺の天候情報を取得する天候情報取得装置のそれぞれに接続され、基地局アンテナを制御する基地局アンテナ制御装置であって、基地局アンテナを制御するアンテナ制御部と、天候情報、位置情報及び基地局アンテナの属性情報を対応付けたアンテナ制御情報を記憶する記憶部と、処理部とを備え、処理部が、位置情報取得装置が取得した位置情報の入力を受け付けるとともに、天候情報取得装置が取得した天候情報の入力を受け付け、入力を受け付けた位置情報及び天候情報を検索キーとして、アンテナ制御情報から属性情報を検索し、検索して得られた属性情報に基づいて、アンテナ制御部を介して、基地局アンテナを制御する基地局アンテナ制御装置が提供される。
【０００９】
また、上記課題を解決するために、本発明の別の観点によれば、移動体に備えられ、基地局アンテナと通信可能な移動局アンテナを制御する移動局アンテナ制御装置であって、移動局アンテナを制御するアンテナ制御部と、天候情報、位置情報及び移動局アンテナの属性情報を対応付けたアンテナ制御情報を記憶する記憶部と、通信部と、処理部とを備え、通信部が、移動局アンテナを介して、基地局アンテナから基地局周辺の天候情報を受信するとともに、移動体の位置情報を受信すると、この天候情報及び位置情報を処理部に出力し、処理部が、通信部から位置情報及び天候情報の入力を受け付け、入力を受け付けた位置情報及び天候情報を検索キーとして、アンテナ制御情報から属性情報を検索し、検索して得られた属性情報に基づいて、アンテナ制御部を介して、移動局アンテナを制御する移動局アンテナ制御装置が提供される。
【００１０】
また、上記課題を解決するために、本発明の別の観点によれば、移動体の位置情報を取得する位置情報取得装置及び基地局周辺の天候情報を取得する天候情報取得装置のそれぞれに接続され、アンテナを制御するアンテナ制御部と、天候情報、位置情報及びアンテナの属性情報を対応付けたアンテナ制御情報を記憶する記憶部と、処理部とを備えたアンテナ制御装置によるアンテナ制御方法であって、処理部が、位置情報取得装置が取得した位置情報の入力を受け付けるとともに、天候情報取得装置が取得した天候情報の入力を受け付け、入力を受け付けた位置情報及び天候情報を検索キーとして、アンテナ制御情報から属性情報を検索し、検索して得られた属性情報に基づいて、アンテナ制御部を介して、アンテナを制御するアンテナ制御方法が提供される。
【発明の効果】
【００１１】
以上説明したように本発明によれば、移動局アンテナと基地局アンテナとの間での通信を、天候状態に合わせて好適に行うことが可能な基地局アンテナ制御装置、移動局アンテナ制御装置及びアンテナ制御方法を提供することができる。
【発明を実施するための最良の形態】
【００１２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１３】
（通信システム１の構成）
まず、図１を参照して、本発明の実施形態に係る通信システムについて説明する。図１は、本発明の実施形態に係る通信システムの構成を示す図である。
【００１４】
図１に示すように、本実施形態に係る通信システム１は、基地局アンテナ１１０と、基地局アンテナ制御装置１００と、位置情報取得装置１８０と、天候情報取得装置１９０と、移動局アンテナ制御装置２００と、移動局アンテナ２１０とを含んで構成され、基地局アンテナ１１０と移動局アンテナ２１０との間で通信を行うシステムである。
【００１５】
移動体２０は、移動するものであれば何でもよい。例えば、図１に示すように、新幹線のような乗り物である。
【００１６】
レール１１は、移動体２０が走行するのに利用される。ただし、移動体２０がレール１１を利用しないで走行する場合もありうる。
【００１７】
実通信エリア１３は、通信可能エリアを示しており、移動体２０がこのエリアを通過している間に、移動局アンテナ２１０が基地局アンテナ１１０と通信可能となる。
【００１８】
通信エリア１２Ａ〜通信エリア１２Ｃは、実通信エリア１３を複数のエリアに分割して設定されたものである。ここでは、図１では、通信エリア１２として、通信エリア１２Ａ〜通信エリア１２Ｃの３つが示されているが、通信エリア１２の数は特に限定されるものではない。
【００１９】
基地局アンテナ制御システム１０は、基地局アンテナ制御装置１００と、位置情報取得装置１８０と、天候情報取得装置１９０とを含んで構成される。
【００２０】
基地局アンテナ１１０は、移動局アンテナ２１０との電波の送受信による通信が可能にされており、例えば、ガントリや電柱に設置されている。また、基地局アンテナ１１０は、例えば、指向性の狭いアンテナである。基地局アンテナ１１０は、基地局アンテナ制御装置１００に接続されている。
【００２１】
基地局アンテナ制御装置１００は、基地局アンテナ１１０を制御する機能を有する。基地局アンテナ制御装置１００の構成の説明については、図２を参照して後述する。
【００２２】
位置情報取得装置１８０は、移動体２０の位置情報を取得する機能を有する。ここで、位置情報とは、通信エリア１２Ａ〜１２Ｃを指定可能な情報であればよく、特に限定されるものではない。移動体２０の位置情報を取得する技術についても、特に限定されるものではない。例えば、移動体２０の沿線に設置された装置と移動体２０上に設置された装置との間の無線データによって、両装置間の距離を算出し、算出した距離と給電レールから受ける電流の方向とによって移動体２０の位置情報を取得することとしてもよい。この技術については、特開２００４−３５２００３号公報に開示されている。
【００２３】
また、位置情報取得装置１８０は、基地局アンテナ制御装置１００と接続されており、基地局アンテナ制御装置１００に移動体２０の位置情報を出力する。移動体２０の位置情報の取得及び基地局アンテナ制御装置１００への位置情報の出力のタイミングはいつでもよく、例えば、所定の期間ごと（例えば、０．１秒ごと）になされる。
【００２４】
天候情報取得装置１９０は、基地局周辺の天候情報を取得する機能を有する。天候情報を取得する技術については、特に限定されるものではない。例えば、湿度計によって測定した湿度に基づいて天候を判定した結果であってもよいし、天気予報から天候情報を取得するようにしてもよい。ここで、基地局周辺とは、移動局アンテナ２１０が備えられた、図示しない基地局を含む所定の範囲内を意味し、その広さは特に限定されるものではない。天候情報とは、天候の状態を示す情報であればよく、例えば、雨、雪、霧、その他などに分類することができるが、特に限定されるものではない。
【００２５】
また、天候情報取得装置１９０は、基地局アンテナ制御装置１００と接続されており、基地局アンテナ制御装置１００に天候情報を出力する。天候情報の取得及び基地局アンテナ制御装置１００への天候情報の出力のタイミングはいつでもよく、例えば、所定の期間ごと（例えば、６時間ごと）になされる。
【００２６】
基地局アンテナ制御装置１００、位置情報取得装置１８０及び天候情報取得装置１９０は、それぞれ別個の装置であってもよいし、いずれかの組み合わせが同一の装置であってもよい。
【００２７】
移動局アンテナ２１０は、基地局アンテナ１１０との電波の送受信による通信が可能にされており、移動体２０に設置されている。また、移動局アンテナ２１０は、例えば、指向性の狭いアンテナである。移動局アンテナ２１０は、移動局アンテナ制御装置２００に接続されている。
【００２８】
移動局アンテナ制御装置２００は、移動局アンテナ制御装置２００の構成の説明については、図３を参照して後述する。
【００２９】
（基地局アンテナ制御装置１００の構成）
図２は、本発明の実施形態に係る基地局アンテナ制御装置の構成を示す図である。図２を参照して（適宜図１参照）、図１に示した基地局アンテナ制御装置１００の構成について説明する。
【００３０】
図２に示すように、基地局アンテナ制御装置１００は、アンテナ制御部１２０と、通信部１３０と、処理部１５０と、記憶部１６０とを含んで構成される。記憶部１６０には、アンテナ制御情報１７０が記憶されている。
【００３１】
アンテナ制御部１２０は、基地局アンテナ１１０を制御する機能を有する。例えば、基地局アンテナ１１０の設置角度や、送信電力を制御する。基地局アンテナ１１０の設置角度を制御する場合には、アンテナ制御部１２０は、例えば、モータの駆動装置によって実現される。基地局アンテナ１１０の送信電力を制御する場合には、アンテナ制御部１２０は、例えば、アンプによって実現される。
【００３２】
通信部１３０は、処理部１５０から入力された情報に基づいて、基地局アンテナ１１０を介して移動局アンテナ２１０と通信を行う機能を有する。通信部１３０は、処理部１５０から位置情報及び天候情報の入力を受け付けると、入力を受け付けた位置情報及び天候情報を、基地局アンテナ１１０を介して移動局アンテナ２１０に送信する。
【００３３】
処理部１５０は、位置情報取得装置１８０が取得した位置情報の入力を受け付けるとともに、天候情報取得装置１９０が取得した天候情報の入力を受け付ける機能を有する。また、処理部１５０は、入力を受け付けた位置情報及び天候情報を通信部１３０に出力するとともに、入力を受け付けた位置情報及び天候情報を検索キーとして、アンテナ制御情報１７０（図４参照）から基地局アンテナ１１０の属性情報を検索し、検索して得られた属性情報に基づいて、アンテナ制御部１２０を介して、基地局アンテナ１１０を制御する機能を有する。属性情報については、図４を参照して後述する。
【００３４】
処理部１５０は、位置情報及び天候情報の入力を受け付けるが、その入力のタイミングは必ずしも同時ではない。これに対処するためには、例えば、以下に説明する処理を行えばよい。すなわち、処理部１５０は、例えば、位置情報の入力を受け付けた際には、記憶部１６０から天候情報を読み出し、入力を受け付けた位置情報と、記憶部１６０から読み出した天候情報とを検索キーとして、アンテナ制御情報１７０から属性情報を検索するようにすればよい。同様に、処理部１５０は、例えば、天候情報の入力を受け付けた際には、記憶部１６０から位置情報を読み出し、入力を受け付けた天候情報と、記憶部１６０から読み出した位置情報とを検索キーとして、アンテナ制御情報１７０から属性情報を検索するようにすればよい。このためには、処理部１５０は、記憶部１６０に位置情報及び天候情報の初期値をそれぞれ記憶しておき、位置情報又は天候情報の入力を受け付けた場合には、その都度、記憶部１６０の位置情報又は天候情報を更新するようにすればよい。天候情報の初期値には、例えば、雪、霧など、電波の送受信に悪影響を及ぼす状態を示す値を設定しておけばよい。位置情報の初期値には、例えば、移動体２０が最初に通過する通信エリア１２を示す値を設定しておけばよい。
【００３５】
記憶部１６０は、情報を記憶する機能を有し、アンテナ制御情報１７０（図４参照）を記憶している。
【００３６】
（移動局アンテナ制御装置２００の構成）
図３は、本発明の実施形態に係る移動局アンテナ制御装置の構成を示す図である。図３を参照して（適宜図１参照）、図１に示した移動局アンテナ制御装置２００の構成について説明する。
【００３７】
図３に示すように、移動局アンテナ制御装置２００は、アンテナ制御部２２０と、通信部２３０と、処理部２５０と、記憶部２６０とを含んで構成される。記憶部２６０には、アンテナ制御情報２７０が記憶されている。
【００３８】
アンテナ制御部２２０は、移動局アンテナ２１０を制御する機能を有する。この機能は、基地局アンテナ１１０が有する制御の機能と同様であるので、詳細な説明は省略する。
【００３９】
通信部２３０は、処理部２５０から入力された情報に基づいて、移動局アンテナ２１０を介して基地局アンテナ１１０と通信を行う機能を有する。移動局アンテナ２１０を介して、基地局アンテナ１１０から天候情報及び位置情報を受信すると、受信した天候情報及び位置情報を処理部２５０に出力する。
【００４０】
処理部２５０は、通信部２３０から位置情報の入力を受け付けるとともに、天候情報の入力を受け付ける機能を有する。また、入力を受け付けた位置情報及び天候情報を検索キーとして、アンテナ制御情報２７０（図５参照）から移動局アンテナ２１０の属性情報を検索し、検索して得られた属性情報に基づいて、アンテナ制御部２２０を介して、移動局アンテナ２１０を制御する機能を有する。属性情報については、図５を参照して後述する。
【００４１】
処理部２５０は、通信部２３０から位置情報及び天候情報の入力を受け付けるが、その入力のタイミングは必ずしも同時ではない。これに対処するための処理は、処理部１５０（図２参照）について説明した処理と同様であるので、詳細な説明は省略する。
【００４２】
記憶部２６０は、情報を記憶する機能を有し、アンテナ制御情報２７０（図５参照）を記憶している。
【００４３】
（アンテナ制御情報１７０の構成）
図４は、本発明の実施形態に係る基地局のアンテナ制御情報の構成を示す図である。図４を参照して（適宜図１参照）、図２に示したアンテナ制御情報１７０の構成について説明する。
【００４４】
図４に示すように、アンテナ制御情報１７０は、天候情報１７１と、位置情報１７２と、基地局アンテナ１１０の属性情報とが対応付けられたものである。ここでは、属性情報の例として、送信電力Ｗと、アンテナの設置角度の一例としての俯角Ａとが示されている。しかし、属性情報は、これらに限定されるものではなく、例えば、アンテナの設置角度の一例としての方位角や、同様にアンテナの設置角度の一例としての仰角であってもよいし、これらを任意に組み合わせたものであってもよい。ここでは、基地局アンテナ１１０が、移動局アンテナ２１０よりも高い位置に設置されている状況を想定して、属性情報に俯角Ａが含められている。
【００４５】
天候情報１７１は、基地局周辺の天候の状態を示す情報であればよい。ここでは、天候情報１７１として、雨、雪、霧、その他が例として設定されている。
【００４６】
位置情報１７２は、通信エリア１２を指定可能な情報であればよい。ここでは、位置情報１７２として、通信エリア１２Ａ、通信エリア１２Ｂ及び通信エリア１２Ｃが例として設定されている。
【００４７】
アンテナ制御情報１７０は、例えば、事前に測定したデータなどに基づいて、基地局アンテナ制御装置１００の管理者が設定しておくことができる。
【００４８】
（アンテナ制御情報２７０の構成）
図５は、本発明の実施形態に係る移動局のアンテナ制御情報の構成を示す図である。図５を参照して（適宜図１及び図４参照）、図３に示したアンテナ制御情報２７０の構成について説明する。
【００４９】
図５に示すように、アンテナ制御情報２７０は、天候情報１７１と、位置情報１７２と、移動局アンテナ２１０の属性情報とが対応付けられたものである。ここでは、属性情報の例として、送信電力Ｗと、アンテナの設置角度の一例としての仰角Ｂとが示されている。しかし、属性情報は、これらに限定されるものではなく、例えば、アンテナの設置角度の一例としての方位角や、同様にアンテナの設置角度の一例としての俯角であってもよいし、これらを任意に組み合わせたものであってもよい。ここでは、移動局アンテナ２１０が、基地局アンテナ１１０よりも低い位置に設置されている状況を想定して、属性情報に仰角Ｂが含められている。
【００５０】
天候情報１７１及び位置情報１７２については、図４を参照して説明したものと同様であるので、詳細な説明は省略する。
【００５１】
アンテナ制御情報２７０は、例えば、事前に測定したデータなどに基づいて、移動局アンテナ制御装置２００の管理者が設定しておくことができる。
【００５２】
（アンテナ制御情報１７０及びアンテナ制御情報２７０の設定例）
例えば、基地局アンテナ１１０の俯角と仰角を固定し、送信電力を変化させる場合には、移動局アンテナ２１０及び基地局アンテナ１１０の受信電力が飽和又は過入力とならないように送信電力Ｗの値を設定するとよい。例えば、天候：その他（晴れや曇りなど）の場合、送信電力Ｗ１４を１とし、送信電力Ｗ１８を０．７とし、送信電力Ｗ２２を０．４とする。他方、天候：雨の場合、電波の降雨減衰を考慮して、送信電力Ｗ１１を１とし、Ｗ１５を１とし、Ｗ１９を０．８といったように、その他の場合よりも大きい値にするとよい。アンテナ制御情報２７０も同様に設定するとよい。
【００５３】
送信電力を固定し、俯角及び仰角を変化させる場合、俯角及び仰角を制御することにより、基地局アンテナ１１０と移動局アンテナ２１０の利得を変化させ、受信電力が飽和、または過入力とならないようにするとよい。受信電力が飽和、過入力となる場合は、あえて、俯角と仰角をずらすことで利得を減らして制御するとよい。例えば、天候：その他（晴れや曇りなど）の場合、俯角Ａ１４を１５度、仰角Ｂ３４を１５度とし、俯角Ａ１８を３０度、仰角Ｂ３８を４５度とし、俯角Ａ２２を４５度、仰角Ｂ４２を６０度とすることで、俯角と仰角をずらすとよい。他方、天候：雨の場合、電波の降雨減衰を考慮して、俯角Ａ１１を１５度、仰角Ｂ３１を１５度とし、俯角Ａ１５を３０度、仰角Ｂ３５を３０度とし、俯角Ａ１９を４５度、仰角Ｂ３９を４５度といったように、俯角と仰角をそろえるとよい。
【００５４】
送信電力、俯角、仰角をそれぞれ変化させる場合、上記２例を組み合わせることにより、基地局アンテナ１１０と移動局アンテナ２１０の受信電力が飽和、または過入力とならないように送信電力や俯角、仰角を制御するとよい。この場合、実際に通信できる実通信エリアは上記２例に比べて狭くなるが、実通信エリア１３を固定することができるため、通信エリア１２同士が近い場合に、同周波数の電波により干渉されるエリアを小さくすることができるようになる。
【００５５】
（通信システム１の動作）
次に、図１〜図５を参照しながら、通信システム１の動作について説明する。
【００５６】
基地局アンテナ制御装置１００の処理部１５０は、位置情報取得装置１８０が取得した位置情報の入力を受け付けるとともに、天候情報取得装置１９０が取得した天候情報の入力を受け付ける。処理部１５０は、入力を受け付けた位置情報及び天候情報を通信部１３０に出力する。通信部１３０は、処理部１５０から入力を受け付けた位置情報及び天候情報を、基地局アンテナ１１０を介して移動局アンテナ２１０に送信する。処理部１５０は、入力を受け付けた位置情報及び天候情報を検索キーとして、アンテナ制御情報１７０から属性情報を検索する。処理部１５０は、検索して得られた属性情報に基づいて、アンテナ制御部１２０を介して、基地局アンテナ１１０を制御する。
【００５７】
移動局アンテナ制御装置２００の通信部２３０は、移動局アンテナ２１０を介して、基地局アンテナ１１０から基地局周辺の天候情報を受信するとともに、移動体２０の位置情報を受信する。通信部２３０は、天候情報及び位置情報を処理部２５０に出力する。処理部２５０は、通信部２３０から位置情報及び天候情報の入力を受け付け、入力を受け付けた位置情報及び天候情報を検索キーとして、アンテナ制御情報２７０から属性情報を検索する。処理部２５０は、検索して得られた属性情報に基づいて、アンテナ制御部２２０を介して、移動局アンテナ２１０を制御する。
【００５８】
本実施形態によれば、基地局アンテナと移動局アンテナを段階的に自動的に対向させ、移動局アンテナと基地局アンテナとの間での通信を、天候状態に合わせて好適に行うことが可能となる。超高速移動体通信において指向性が狭いアンテナによる通信を行う際にも適用が可能である。
【００５９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６０】
例えば、上記実施形態では、基地局アンテナ制御装置が、移動体の位置情報及び基地局周辺の天候情報を移動局アンテナ制御装置に送信することとしたが、本発明はかかる例に限定されない。例えば、移動局アンテナ制御装置が位置情報取得装置に接続され、この位置情報取得装置から位置情報を取得するようにしてもよい。例えば、ＧＰＳ（Ｇｌｏｂａｌ  Ｐｏｓｉｔｉｏｎｉｎｇ  Ｓｙｓｔｅｍ）を用いて移動体２０の位置情報を取得することとしてもよい。また、例えば、移動局アンテナ制御装置が天候情報取得装置に接続され、この天候情報取得装置から天候情報を取得するようにしてもよい。
【図面の簡単な説明】
【００６１】
【図１】本発明の実施形態に係る通信システムの構成を示す図である。
【図２】同実施形態に係る基地局アンテナ制御装置の構成を示す図である。
【図３】同実施形態に係る移動局アンテナ制御装置の構成を示す図である。
【図４】同実施形態に係る基地局のアンテナ制御情報の構成を示す図である。
【図５】同実施形態に係る移動局のアンテナ制御情報の構成を示す図である。
【符号の説明】
【００６２】
１        通信システム
１０      基地局アンテナ制御システム
１２      通信エリア
１３      実通信エリア
２０      移動体
１００    基地局アンテナ制御装置
１１０    基地局アンテナ
１２０    アンテナ制御部
１３０    通信部
１５０    処理部
１６０    記憶部
１７０    アンテナ制御情報
１７１    天候情報
１７２    位置情報
１８０    位置情報取得装置
１９０    天候情報取得装置
２００    移動局アンテナ制御装置
２１０    移動局アンテナ
２２０    アンテナ制御部
２３０    通信部
２５０    処理部
２６０    記憶部
２７０    アンテナ制御情報
Ｗ        送信電力
Ａ        俯角
Ｂ        仰角
【図１】
2009206770.tif 000003
【図２】
2009206770.tif 000004
【図３】
2009206770.tif 000005
【図４】
2009206770.tif 000006
【図５】
2009206770.tif 000007